(57)【要約】【課題】  本発明はセンサ技術を用いてユーザーの位置を把握することで、ユーザーが電源を投入した時に、常に起動時間を短縮することができる放送受信装置及びその制御方法を提供する。【解決手段】  放送受信装置に電源が投入されていない状態において、ユーザーがセンサ検知エリア内に存在するときに、ＯＳの起動、アプリケーションの初期化、デコード処理を開始し、ユーザーが検知エリア内に存在しないときは、前記処理を停止する。【選択図】  図１
2009124413.tif 000002
【特許請求の範囲】
【請求項１】
デジタル放送を受信する放送受信装置、及び前記放送受信装置を制御するリモートコントロール装置を有する放送受信システムにおいて、
前記放送受信装置には、デジタル放送を受信する受信手段と、デジタル放送データをデマルチプレクス、デコード処理を行うデマルチプレクス・デコード手段と、前記リモートコントロール装置から送信される情報を受信する受信手段と、前記リモートコントロール手段からの情報により、ＯＳの起動、アプリケーションの初期化、デコード処理の開始指示を行う起動制御手段を備え、
前記リモートコントロール装置には、ユーザーが前記放送受信装置に指示を行う操作手段と、ユーザーが検知エリア内に存在するか否かを検知する検知手段と、前記放送受信装置に対して情報を送信する送信手段を備えると共に、
前記放送受信装置に電源が投入されていない状態において、ユーザーが検知エリア内に存在するときに、ＯＳの起動、アプリケーションの初期化、デコード処理を開始することを特徴とする放送受信システム。
【請求項２】
前記起動制御手段は、前記放送受信装置に電源が投入されていない状態において、前記検知手段によりユーザーが検知エリア内に存在しない場合に、ＯＳ、アプリケーション、デコード処理を停止する指示を行うことを特徴とする、請求項１に記載の放送受信システム。
【請求項３】
デジタル放送を受信する放送受信装置、及び前記放送受信装置を制御するリモートコントロール装置を有する放送受信システムにおいて、
前記放送受信装置には、デジタル放送を受信する受信手段と、デジタル放送データをデマルチプレクス、デコード処理を行うデマルチプレクス・デコード手段と、前記リモートコントロール装置から送信される情報を受信する受信手段と、前記リモートコントロール手段からの情報により、ＯＳの起動、アプリケーションの初期化、デコード処理の開始指示を行う起動制御手段と、他の放送受信装置と情報を送受信できる送受信手段と、現在時刻を検出する時刻検出手段と、視聴しているチャンネル情報と時刻を記憶する記憶手段とを備え、
前記リモートコントロール装置には、ユーザーが前記放送受信装置に指示を行う操作手段と、ユーザーが検知エリア内に存在するか否かを検知する検知手段と、前記放送受信装置に対して情報を送信する送信手段を備えると共に、
前記放送受信装置に電源が投入されていない状態において、ユーザーが検知エリア内に存在するときに、ＯＳの起動、アプリケーションの初期化を開始すること、及び他の放送受信装置で視聴していた時刻から現在時刻までが設定時間よりも短い場合において、他の放送受信装置で視聴していた番組のチャンネルをデコード処理することを特徴とする放送受信システム。
【請求項４】
前記起動制御手段は、前記放送受信装置に電源が投入されていない状態において、前記検知手段によりユーザーが検知エリア内に存在しない場合に、ＯＳ、アプリケーション、デコード処理を停止する指示を行うことを特徴とする、請求項３に記載の放送受信システム。
【請求項５】
前記放送受信装置に電源が投入されていない状態において、ユーザーが検知エリア内に存在するときに、ＯＳの起動、アプリケーションの初期化を開始すること、及び他の放送受信装置で視聴していた番組が現在も放送中である場合に、他の放送受信装置で視聴していた番組のチャンネルをデコード処理することを特徴とする請求項１又は請求項３に記載の放送受信システム。
【請求項６】
前記放送受信装置に電源が投入されていない状態において、ユーザーが検知エリア内に存在するときに、ＯＳの起動、アプリケーションの初期化を開始すること、及び他の放送受信装置で視聴していた番組をユーザーごとに管理しておき、前記ユーザーが視聴していた番組をデコード処理することを特徴とする請求項１又は請求項３に記載の放送受信システム。
【発明の詳細な説明】
【技術分野】
【０００１】
本発明は、センサ技術を用いて、起動時間を短縮する放送受信システム、放送受信装置及びその制御方法に関するものである。
【背景技術】
【０００２】
従来、デジタルテレビジョン放送を受信する放送受信装置では、ＯＳの起動やアプリケーションの初期化、デコード処理に時間を要し、電源投入から表示までのタイムラグが大きく、ユーザーにストレスを与えるという問題がある。この問題に対して、放送受信用のシステムを常に動作させておき、ユーザーが電源を投入した際に起動時間を短縮する方法が考えられるが、ユーザーが実質使用していない待機状態においても、電力を消費しつづけるため消費電力量が増加してしまうという新たな問題が発生する。
【０００３】
これらの問題を鑑みて、消費電力を常時入電状態より下げつつ、ユーザーが電源を投入したときに起動時間を短縮する方法として、ユーザーの操作履歴から電源投入時刻を算出しこの電源投入予測時刻に基づき、放送受信モジュールの電源を制御する方法が提案されている(特許文献1)。
【特許文献１】特開2005-191815号公報
【発明の開示】
【発明が解決しようとする課題】
【０００４】
しかしながら、上述した従来の技術ではユーザーの操作履歴から電源投入時刻を予測するため、ユーザーが日常的に視聴している番組に関しては、起動時間を短縮することが可能であるが、それ以外の番組に関しては待ち時間によるストレスをユーザーに与えてしまうという問題があった。また、ユーザーの操作履歴が放送受信装置に単体内でのみ記憶されているので、ユーザーが番組を視聴中に別の放送受信装置に移動して視聴を継続するような状況においても、常に起動時間を短縮することができないという問題もあった。
【０００５】
そこで、本発明はセンサ技術を用いてユーザーの位置を把握することで、ユーザーが電源を投入した時に、常に起動時間を短縮することができる放送受信システム、放送受信装置及びその制御方法を提供することを目的とする。
【課題を解決するための手段】
【０００６】
本発明は上記目的を達成するためになされたものであり、
デジタル放送を受信する放送受信装置、及び前記放送受信装置を制御するリモートコントロール装置を有する放送受信システムにおいて、
前記放送受信装置には、デジタル放送を受信する受信手段と、デジタル放送データをデマルチプレクス、デコード処理を行うデマルチプレクス・デコード手段と、前記リモートコントロール装置から送信される情報を受信する受信手段と、前記リモートコントロール手段からの情報により、ＯＳの起動、アプリケーションの初期化、デコード処理の開始指示を行う起動制御手段を備え、
前記リモートコントロール装置には、ユーザーが前記放送受信装置に指示を行う操作手段と、ユーザーがセンサ検知エリア内に存在するか否かを検知する検知手段と、前記放送受信装置に対して情報を送信する送信手段を備えると共に、
前記放送受信装置に電源が投入されていない状態において、ユーザーが検知エリア内に存在するときに、ＯＳの起動、アプリケーションの初期化、デコード処理を開始することを特徴とする。
【０００７】
前記起動制御手段は、前記放送受信装置に電源が投入されていない状態において、前記検知手段によりユーザーが検知エリア内に存在しない場合に、ＯＳ、アプリケーション、デコード処理を停止する指示を行うことを特徴とする。
【０００８】
デジタル放送を受信する放送受信装置、及び前記放送受信装置を制御するリモートコントロール装置を有する放送受信システムにおいて、
前記放送受信装置には、デジタル放送を受信する受信手段と、デジタル放送データをデマルチプレクス、デコード処理を行うデマルチプレクス・デコード手段と、前記リモートコントロール装置から送信される情報を受信する受信手段と、前記リモートコントロール手段からの情報により、ＯＳの起動、アプリケーションの初期化、デコード処理の開始指示を行う起動制御手段と、他の放送受信装置と情報を送受信できる送受信手段と、現在時刻を検出する時刻検出手段と、視聴しているチャンネル情報と時刻を記憶する記憶手段とを備え、
前記リモートコントロール装置には、ユーザーが前記放送受信装置に指示を行う操作手段と、ユーザーが検知エリア内に存在するか否かを検知する検知手段と、前記放送受信装置に対して情報を送信する送信手段を備えると共に、
前記放送受信装置に電源が投入されていない状態において、ユーザーが検知エリア内に存在するときに、ＯＳの起動、アプリケーションの初期化を開始すること、及び他の放送受信装置で視聴していた時刻から現在時刻までが設定時間よりも短い場合において、他の放送受信装置で視聴していた番組のチャンネルをデコード処理することを特徴とする。
【０００９】
前記起動制御手段は、前記放送受信装置に電源が投入されていない状態において、前記検知手段によりユーザーが検知エリア内に存在しない場合に、ＯＳ、アプリケーション、デコード処理を停止する指示を行うことを特徴とする。
【００１０】
前記放送受信装置に電源が投入されていない状態において、ユーザーが検知エリア内に存在するときに、ＯＳの起動、アプリケーションの初期化を開始すること、及び他の放送受信装置で視聴していた番組が現在も放送中である場合に、他の放送受信装置で視聴していた番組のチャンネルをデコード処理することを特徴とする。
【００１１】
前記放送受信装置に電源が投入されていない状態において、ユーザーが検知エリア内に存在するときに、ＯＳの起動、アプリケーションの初期化を開始すること、及び他の放送受信装置で視聴していた番組をユーザーごとに管理しておき、前記ユーザーが視聴していた番組をデコード処理することを特徴とする。
【発明の効果】
【００１２】
本発明によれば、センサ技術を用いてユーザーの位置を把握し、ユーザーがリモートコントロール装置(以下、リモコン装置)、或いは放送受信装置に接近したことを検知した場合に、ＯＳの起動、アプリケーションの初期化、デコード処理を開始しておき、ユーザーが放送受信装置の電源を投入した際に、即座に起動することが可能となり、ユーザーに起動待ち時間によるストレスを与えないという効果がある。
【発明を実施するための最良の形態】
【００１３】
次に、本発明の詳細を実施例の記述に従って説明する。
【実施例１】
【００１４】
以下、本発明に係わる放送受信装置の発明を実施するための最良の形態について、図面を用いて説明する。
【００１５】
本実施例では放送受信装置が１台である場合についての処理を述べる。図１は本実施例に適用される放送受信装置とリモコン装置の構成を示した概略ブロック図である。放送受信装置１０１には、放送受信部１０２、デマルチプレクス・デコーダ部１０３、画像処理部１０４、表示部１０５、オーディオ部１０６、リモコン受信部１０８から構成されている。
【００１６】
放送受信部１０２は各種テレビ放送を外部から受信して、デジタルデータとしてデマルチプレクス・デコーダ部１０３に送信する。受信するチャンネルに関しては、制御部１０７からの指示に応じて選局する。デマルチプレクス・デコーダ部１０３はＣＰＵを含み、映像・音声のデマルチプレクス処理及びデコード処理を行う。ＯＳ、アプリケーション、デコード処理は制御部１０７からの指示に従って行う。画像処理部１０４は入力された画像を高画質化処理するブロックである。表示部１０５は高画質化処理が行われた映像をディスプレイに表示する。オーディオ部１０６はデマルチプレクス・デコーダ部１０３にて分離された音声データを受信し、音として出力する。制御部１０７はリモコン部１０８からの通知内容を基に、各ブロックの起動・停止の判定、及び制御を行う。リモコン受信部１０８はリモコン装置１０９からの情報を無線で受信し、その内容を制御部１０７へ通知する。
【００１７】
リモコン装置１０９はリモコン送信部１１０、ユーザＩＦ部１１１、センサ部１１２から構成されている。
【００１８】
リモコン送信部１１０はユーザーＩＦ部１１１及び、センサ部１１２からのデータを受信して、無線通信を用いて放送受信装置１０１に出力する。ユーザーＩＦ部１１１はユーザーの操作(ボタン押下など)を検知して、その情報をリモコン送信部１１０に通知する。センサ部１１２は、センサ検知範囲内にユーザーが存在するか否かをセンシングしておき、ユーザーが検知範囲内に存在するか否かの情報をリモコン送信部１１０に通知する。センサの種類は、人が検知エリア内に存在するか否かを判断できるものであればよく、人感センサ、ＲＦＩＤなどが考えられる。
【００１９】
図２に放送受信装置１０１とリモコン装置１０９にて、ユーザーがセンサ検知エリア内に出入りした際の、放送受信装置１０１の起動・停止手順を示したフローチャートを示す。
【００２０】
ステップＳ２０１にてフローが開始されると、ステップＳ２０２にて、リモコン装置１０９のセンサ部１１２でセンサ検知範囲内にユーザーが存在するか否かを判定する。前記判定の結果は、リモコン装置１０９から放送受信装置１０１に通知する（ステップＳ２０３）。放送受信装置１０１の制御部１０７はユーザーがセンサ検知範囲内であれば(ステップＳ２０２：Ｙｅｓ)、現在、起動処理を開始しているかを判断し、起動処理を開始していなければ(ステップＳ２０４：Ｎｏ)、ステップＳ２０５にて制御部１０７からデマルチプレクス・デコーダ部１０３に対して起動指示を行い、ＯＳの起動、アプリケーションの初期化、及びデコード処理を開始する。その後、ステップＳ２０６にて、ユーザーによって電源が投入されたか否かを判定する。また、ステップＳ２０４にて起動処理をすでに開始していれば、ステップＳ２０６へ進む。ステップＳ２０６でユーザーによって電源が投入されていなければ、ステップＳ２０２に戻る。
【００２１】
ステップＳ２０６でユーザーがリモコン装置１０９のユーザＩＦ部１１１を通じて電源を投入した場合(ステップＳ２０６：Ｙｅｓ)、リモコン送信部１１０から、放送受信装置１０１のリモコン受信部１０８に通信を行う。次に、制御部１０７から画像処理部１０４、表示部１０５、オーディオ部１０６の起動指示を行う。起動指示を受けた各ブロックは処理を開始し、ユーザーが視聴可能な状態となる(ステップＳ２０８)。ユーザーが電源をＯＦＦするまでは、視聴状態(ステップＳ２０８)を継続する。ユーザーがリモコン装置１０９で電源をＯＦＦした場合は(ステップＳ２０９：Ｙｅｓ)、リモコン送信部１１０から、放送受信装置１０１のリモコン受信部１０８に通信を行う。次に、制御部１０７から画像処理部１０４、表示部１０５、オーディオ部１０６の停止指示を行う。停止指示を受けた各ブロックは処理を停止し(ステップＳ２１０)、ステップＳ２０２に戻って、ユーザーがセンサ検知範囲内かの判断を行う。
【００２２】
ステップＳ２０２でユーザーがセンサ検知範囲内に存在しなければ(ステップＳ２０２：Ｎｏ)、リモコン装置１０９から放送受信装置１０１に通知する（ステップＳ２１１）。次に放送受信装置１０１はステップＳ２１２で起動処理を開始していなければ(ステップＳ２１２：Ｎｏ)、ステップＳ２０２へ戻る。起動処理を開始していれば(ステップＳ２１２：Ｙｅｓ)、ＯＳの起動、アプリケーションの初期化、デコード処理の停止指示を、制御部１０７からデマルチプレクス・デコーダ部１０３に対して行い、各ブロックは処理を停止する(ステップＳ２１３)。
【００２３】
本実施例では、センサ部１１２をリモコン装置１０９に実装する例を述べたが、放送受信装置１０１に実装してもよい。
【００２４】
以上に述べたように、本実施例では、ユーザーがリモコン装置１０９に接近した際に、ＯＳの起動、アプリケーションの初期化、デコード処理を開始しておくことで、ユーザーが電源を投入した時に、即座に視聴状態に入ることができる。
【実施例２】
【００２５】
本実施例では図３に示すように、家庭内に部屋３０１、部屋３０２、部屋３０３があり、それぞれの部屋に放送受信装置３０４，３０５，３０６が設置されているような状況について述べる。各放送受信装置はホームネットワーク３０７で接続されており、放送受信装置間で通信が行える。このような状況下でユーザー３０８が放送受信装置３０５で視聴していた番組を、部屋を移動して放送受信装置３０６で継続視聴する場合において、放送受信装置３０５で視聴していた番組を選局しつつ、放送受信装置３０６の起動時間を短縮する例を述べる。
【００２６】
図４は本実施例に適用される放送受信装置とリモコン装置の構成を示した概略ブロック図である。放送受信装置３０５には、ネットワークＩＦ部４０２、時刻検出部４０３、状態記憶部４０４が、実施例１のブロックに対して追加されている。ネットワークＩＦ部４０２はホームネットワーク３０７とのインタフェースであり、他の放送受信装置と情報のやり取りを行うことができ、状態情報の要求、及び送信を行う。ホームネットワーク３０７は他の放送受信装置と接続されており、イーサーネット、無線ＬＡＮなどが考えられる。時刻検出部４０３では現在の時刻を検出し、状態記憶部４０４に時刻情報を送信する。状態記憶部４０４では、図５で示すような状態情報５０１を記憶している。状態情報５０１には選択している番組のチャンネル情報である状態５０２と、最終更新時刻である時刻５０３が記録されている。また、状態情報記憶部４０４は制御部４０６に指示に応じて、状態情報５０１の更新及び状態情報５０１をネットワークＩＦ部４０２に出力する機能を備えている。制御部４０６は状態情報の更新制御と他の放送受信装置からの状態情報要求に応じて状態情報５０１を出力する制御を行い、前記制御の指示を状態情報記憶部４０４に通知する。
【００２７】
次に複数台の放送受信装置間で、ユーザーが移動した時の放送受信装置の起動手順を示したフローチャートを示す。図６にはユーザーが移動する前に視聴していた放送受信装置３０５の動作を、図７にはユーザーが移動した後に視聴する放送受信装置３０６の動作を示す。
【００２８】
ユーザー移動前の放送受信装置３０５ではステップＳ６０１でフローを開始すると、ステップＳ６０２で電源がＯＮかつユーザーがセンサ検知範囲内かどうかを判定する。電源がＯＮかつユーザーが検知範囲内であれば(ステップＳ６０２：Ｙｅｓ)、ステップＳ６０３でユーザー検知を行い、ステップＳ６０４でユーザーがセンサ検知範囲から出た場合(ステップＳ６０４：Ｎｏ)、ステップＳ６０５にて放送受信装置３０５の状態情報を更新する。状態情報は前述した通り、チャンネル情報と時刻情報であり、チャネル情報にはユーザーが視聴していたチャネル、時刻情報には更新した時刻を記録する。
【００２９】
ユーザー移動後の放送受信装置３０６では、ステップＳ２０１からステップＳ２０４までは実施例１と同じ動作を行い、ステップＳ７０１でホームネットワーク３０５に接続されている全ての放送受信装置(３０４，３０５)から、ネットワークＩＦ部４０２を通じて取得する。取得した状態情報及び放送受信装置３０６の状態情報の例を図８に示す。次にステップＳ７０２にて状態情報のうち最新のものを選択する。例えば図８の状態情報８０１，８０２，８０３を比較すると、最新の時刻情報が記録されているのは、放送受信装置３０５の状態情報８０２であるため、この状態情報を選択する。次にステップＳ７０３で選択した状態情報８０２の時刻８０７と現在時刻８１０を比較し差分を算出する。そして、ステップＳ７０４で予め設定されている時間と、前記差分値を比較して、設定時間よりも経過している場合は(Ｓ７０４：Ｙｅｓ)、ステップＳ７０５で選択した状態情報８０２の状態８０６に記録されているチャンネル(例ではＣＨ８)を選択する。ステップＳ７０４で、設定時間よりも経過していない場合は(Ｓ７０４：Ｎｏ)、ステップＳ７０６で自放送受信装置３０６の状態情報にあるチャンネル（例ではＣＨ６）を選択する。以降は、実施例１と同様の動作をする。
【００３０】
本実施例では番組のチャンネル情報を他の放送受信装置に引き継ぐ方法について述べたが、画質設定や音声設定などの設定情報も同様の方法で引き継ぐことが可能である。
【００３１】
以上に述べたように、本実施例では、ユーザーが移動前に視聴していた番組のチャンネル情報を、設定時間内であれば移動後の放送受信装置に引き継ぐ。そして、ユーザーがリモコン装置１０９に接近した際に、ＯＳの起動、アプリケーションの初期化、デコード処理を開始しておくことで、ユーザーが電源を投入した時に、即座に視聴状態に入ることができる。
【実施例３】
【００３２】
実施例２では、ユーザーが移動した際のチャンネル引き継ぎを、設定時間内であれば行う例について述べた。本実施例では、移動前に視聴していた番組が、移動後も放送中であればチャンネルを引き継ぐ例について述べる。
【００３３】
ブロック図は実施例２と同様に図４にて示す。図９に本実施例の制御をフローチャートで示す。ステップＳ７０２までは実施例２と同じ処理を行う。ステップＳ９０１では、ステップＳ７０２で選択された状態情報から、移動前に視聴していた番組が放送中であるか否かを判別して、放送中であれば(ステップＳ９０１：Ｙｅｓ)、ステップＳ７０５に進み、放送が終了していればステップＳ７０６に進む。放送中か否かの判断は、状態情報のチャンネル情報と時刻から、ＴＳパケット内にあるＥＩＴ(Event Information Table)のｓｔａｒｔ＿ｔｉｍｅ及びｄｕｒａｔｉｏｎを参照して現在時刻と比較することで行える。ここでＥＩＴは、番組タイトル、放送日時、番組内容など、番組に関する情報を記述したテーブルである。また、ｓｔａｒｔ＿ｔｉｍｅは対象イベントの番組開始時刻を記述するものであり、ｄｕｒａｔｉｏｎは対象イベントの番組長を記述するものである。
【００３４】
以上に述べたように、本実施例では、ユーザーが移動前に視聴していた番組のチャンネル情報を、番組放送中であれば移動後の放送受信装置に引き継ぐ。そして、ユーザーがリモコン装置１０９に接近した際に、ＯＳの起動、アプリケーションの初期化、デコード処理を開始しておくことで、ユーザーが電源を投入した時に、即座に視聴状態に入ることができる。
【実施例４】
【００３５】
本実施例では、複数の放送受信装置及び複数のユーザーが家庭内に存在する状況について述べる。複数のユーザーを管理するためには、放送受信装置内の状態情報をユーザーごとに管理する必要がある。従って、センサ部１１２のセンサ技術を、ＲＦＩＤ技術など検知する対象をＩＤで管理できるものとする。ユーザーをＩＤで管理した場合の状態情報の例を図１０に示す。図のように状態、時刻情報に加えてＩＤ情報を付加しておくこと。そして、センサ検知範囲内に入ったユーザーに関する状態情報を参照することで、ユーザーごとにチャンネルの引き継ぎを行うことができる。
【００３６】
以上に述べたように、本実施例では、ユーザーが移動前に視聴していた番組のチャンネル情報を、ユーザーごとに引き継ぎつつ、ユーザーがリモコン装置１０９に接近した際に、ＯＳの起動、アプリケーションの初期化、デコード処理を開始しておくことで、ユーザーが電源を投入した時に、即座に視聴状態に入ることができる。
【図面の簡単な説明】
【００３７】
【図１】本発明の実施例１に係わる放送受信装置及びリモコン装置を示すブロック図である。
【図２】本発明の実施例１に係わる放送受信装置の起動処理について説明するためのフローチャートである。
【図３】本発明の実施例２に係わる環境を示すシステム図である。
【図４】本発明の実施例２に係わるほう送受信装置及びリモコン装置を示すブロック図である。
【図５】本発明の実施例２に係わる状態情報の例を示す図である。
【図６】本発明の実施例２に係わる放送受信装置の状態情報更新処理について説明するためのフローチャートである。
【図７】本発明の実施例２に係わる放送受信装置の起動処理について説明するためのフローチャートである。
【図８】本発明の実施例２に係わる複数の放送受信装置がある場合についての情報情報の例を示す図である。
【図９】本発明の実施例３に係わる放送受信装置の起動処理について説明するためのフローチャートである。
【図１０】本発明の実施例４に係わる状態情報の例を示す図である。
【符号の説明】
【００３８】
１０１  放送受信装置
１０２  放送受信部
１０３  デマルチプレクス・デコーダ部
１０４  画像処理部
１０５  表示部
１０６  オーディオ部
１０７  制御部
１０８  リモコン受信部
１０９  リモコン装置
１１０  リモコン送信部
１１１  ユーザーＩＦ部
１１２  センサ部
【図１】
2009124413.tif 000003
【図２】
2009124413.tif 000004
【図３】
2009124413.tif 000005
【図４】
2009124413.tif 000006
【図５】
2009124413.tif 000007
【図６】
2009124413.tif 000008
【図７】
2009124413.tif 000009
【図８】
2009124413.tif 000010
【図９】
2009124413.tif 000011
【図１０】
2009124413.tif 000012